(57)【要約】【課題】背景を含む周景を変化させる新しい方法により、従来なかった遊び感覚での周景演出を可能とする写真シール作成方法とその装置を提案し、利用者の満足度を向上させる。【解決手段】撮像空間内の一以上の被写体を撮像手段で撮像して撮像画像を作成する撮像処理を許容し、該撮像画像、又は／及び他の取得手段で取得の取得画像等の編集対象画像に、利用者が編集手段で編集して編集画像を作成する編集処理を許容し、所定の画像を出力手段で出力する写真シール作成方法又はその装置に対して、前記撮像空間内に、前記撮像手段に反射像を撮像許容する反射手段を備えた。【選択図】    図１
2004246113.tif 000002
【特許請求の範囲】
【請求項１】
撮像空間内の一以上の被写体を撮像手段で撮像して撮像画像を作成する撮像処理を許容し、
該撮像画像、又は／及び他の取得手段で取得の取得画像等の編集対象画像に、利用者が編集手段で編集して編集画像を作成する編集処理を許容し、
所定の画像を出力手段で出力する写真シール作成方法であって、
撮像空間内に備えた反射手段による反射像を、前記撮像手段に撮像許容する
写真シール作成方法。
【請求項２】
前記撮像空間内に、被写体の周景となり得る周景手段を備え、
前記反射手段による上記周景手段の反射像を撮像許容する
請求項１記載の写真シール作成方法。
【請求項３】
前記周景手段として、複数の異なる周景部を備えた多様周景体と、撮像に使用する上記周景部を変更許容する変更手段とを使用する
請求項１または２記載の写真シール作成方法。
【請求項４】
撮像空間内の一以上の被写体を撮像手段で撮像して撮像画像を作成する撮像処理を許容し、
該撮像画像、又は／及び他の取得手段で取得の取得画像等の編集対象画像に、利用者が編集手段で編集して編集画像を作成する編集処理を許容し、
所定の画像を出力手段で出力する写真シール作成装置であって、
前記撮像空間内に、前記撮像手段に反射像を撮像許容する反射手段を備えた
写真シール作成装置。
【請求項５】
前記反射手段による反射像に、前記撮像空間内に備えて被写体の周景となり得る周景手段を設定した
請求項４記載の写真シール作成装置。
【請求項６】
前記周景手段を、複数の異なる周景部を備えた多様周景体と、
撮像に使用する周景部を変更許容する変更手段とで構成した
請求項４または５記載の写真シール作成装置。
【発明の詳細な説明】
【０００１】
【発明の属する技術分野】
この発明は、例えば被写体を照明して撮像した画像を編集して印刷するような写真シール作成に関する。
【０００２】
【従来の技術】
従来、高性能のデジタルカメラを使用して撮像し、撮像した撮像画像に対して利用者が入力ペン又は指でタッチパネルにタッチし、ペンツールやスタンプツールといったアイテムツールを使用して文字や図形を書き込む等の任意の編集を許容し、出来上がった編集画像をシール紙に印刷する写真シール作成装置が存在する。
【０００３】
このような写真シール作成装置では、ペンツールやスタンプツールとして多種類のアイテムやメニューを提供し、各種ツールの太さ、大きさ、形、色等が細かく変更できるように設定している。これにより、利用者は凝った内容の落書き編集ができるようになっている。
【０００４】
近年では、被写体と共に撮像される背景に変化を与える方法として、複数の背景が描かれたエンドレスベルト状のスクリーンを、装置本体上部から撮影空間の天井面及びそれに連続し撮影空間をおいて装置全体の前面に対向する面とから構成し、循環可能にしたものが提案されている（特許文献１参照）。
【０００５】
また、装置本体前方の撮影空間の天井面に、スクリーンがシート上に描かれ、そのシートの一端側がロール状に巻かれ、他端側を引き出し可能に構成された複数のスクリーン装置が設けられているものも提案されている（特許文献２参照）。
【０００６】
【特許文献１】
特開２０００−２６７１６２号公報
【特許文献２】
特開２０００−２６７１７９号公報。
【０００７】
【発明が解決しようとする課題】
しかし、上記スクリーンは、何色かに色分けした布状のものから利用者が好みの色を選択して使用するという方法であり、デジタルカメラや各種ツールの性能の向上に比較して、背景の変化は少なく面白みに欠けていた。
【０００８】
この発明は、上述の問題に鑑みて、背景を含む周景を変化させる新しい方法により、従来なかった遊び感覚での周景演出を可能とする写真シール作成方法とその装置を提案し、利用者の満足度を向上させることを目的とする。
【０００９】
【課題を解決するための手段】
この発明は、撮像空間内の一以上の被写体を撮像手段で撮像して撮像画像を作成する撮像処理を許容し、該撮像画像、又は／及び他の取得手段で取得の取得画像等の編集対象画像に、利用者が編集手段で編集して編集画像を作成する編集処理を許容し、所定の画像を出力手段で出力する写真シール作成方法又はその装置であって、撮像空間内に備えた反射手段による反射像を、前記撮像手段に撮像許容する写真シール作成方法またはその装置であることを特徴とする。
【００１０】
前記撮像空間は、撮像用に利用者に提供する空間を指し、前記撮像手段で撮像可能な範囲の空間、又は、周景手段（後述）やその他の部材（例えば背景部材又は出入り口部材等）で囲繞（若しくは略囲繞）した空間で構成することを含む。
前記撮像手段は、デジタルカメラ又はデジタルビデオカメラで構成することを含む。
前記他の取得手段は、カメラ付き携帯電話やノートパソコン等の携帯情報端末と通信する通信手段、フレキシブルディスクや不揮発性メモリ媒体等の記憶媒体に記憶の情報を読取る記憶媒体読取手段、写真や絵画等の実画像をスキャニングするスキャナ等、画像データを取り込み可能なデータ取込手段で構成することを含む。
【００１１】
前記取得画像は、通信手段又は記憶媒体読取手段等のデータ取込手段で取得する画像、すなわち個人用デジタルカメラでの撮像やパソコンでのグラフィック制作等によるデジタル画像や、写真や絵画等の実画像をスキャナでスキャニングしたスキャニング画像で構成することを含む。
【００１２】
前記編集手段は、利用者にタッチペン又は指でタッチされた座標を取得するタッチパネル又はマウス等のポインティングデバイス（座標入力手段）で構成することを含む。
【００１３】
前記所定の画像は、前記撮像画像、前記デジタル画像、又は前記スキャニング画像等の編集前の画像、又はこれら編集前の画像を編集手段で編集した編集画像、又は、上記編集前の画像又は／及び上記編集画像から選択された複数の画像で構成することを含む。
【００１４】
前記出力手段は、インクジェットプリンタ、昇華型熱転写プリンタや溶融型熱転写プリンタ等の熱転写プリンタ、又はレーザプリンタ等、モノトーン、セピア（ｓｅｐｉａ）トーン又はカラー等で画像を印刷媒体に印刷する印刷手段、画像データを送信する通信手段、又は画像データを記憶媒体に書き込む記憶媒体リーダ／ライタで構成することを含む。
【００１５】
上記印刷媒体は、印刷可能層の裏側に粘着層を備えたシール紙（シール媒体）等、貼付可能媒体で構成することを含む。
【００１６】
上記シール紙は、印刷可能層の裏側に粘着層を備えたシール媒体等、貼付可能媒体で構成することを含む。
【００１７】
前記反射手段は、鏡、鏡面、半透過鏡（後述）、金属板、又は金属メッキ等、光の反射を利用して対象物を映し出すことが可能な手段で構成することを含む。
【００１８】
なお、上記半透過鏡は、適度に光を透過する鏡であって、明るい側からは像を反射する鏡として機能し、暗い側からは向こうを透過して見える透過性ガラス（透明ガラス又は半透明ガラス等の透過性のあるガラス）として機能するハーフミラーで構成することを含む。
【００１９】
該ハーフミラーは、板ガラスに金属幕を薄く塗ってガラスを重ねて構成することができる。
前記反射像は、光の反射によって前記反射手段に映し出されている像を指す。
【００２０】
この発明の態様として、前記撮像空間内に、被写体の周景となり得る周景手段を備え、前記反射手段による上記周景手段の反射像を撮像許容することができる。
【００２１】
前記周景手段は、白色や青色等の単色又は模様で塗装した板状体又は幕体、又は、回転可能に取り付けたロールカーテン等、前記反射手段に映し出される周景を形成する手段で構成することを含む。
【００２２】
また該周景手段は、後述する幕体を後述する回転移動装置で移動させ、使用する部分（面）を変更可能にする幕体式周景装置、又は、後述する周景構成体を後述する回転切替装置で回転させ、使用する面（部分）を切替える多面体式周景装置等、周景を変更可能な装置で構成することを含む。
【００２３】
また該周景手段は、撮像空間天井部、床部、又は側部、あるいはこれらの複数等、撮像空間内で被写体又は前記反射手段の周部（周囲の部分）に備えることを含む。
【００２４】
またこの発明の態様として、前記周景手段として、複数の異なる周景部を備えた多様周景体と、撮像に使用する上記周景部を変更許容する変更手段とを使用することができる。
【００２５】
前記多様周景体は、布やシート等の幕体、又は、各平面に周景を設定した横長（又は縦長）の平面体若しくは横長（又は縦長）多角柱体（例えば三角柱体又は四角柱体）等の周景構成部材を、縦方向（又は横方向）に複数並設した周景構成体等、多様な周景を提供可能な部材で構成することを含む。
【００２６】
前記変更手段は、次に説明する回転移動装置又は回転切替装置等、被写体の周景の変更を許容する装置で構成することを含む。
上記回転移動装置は、前記幕体の両端（巻き取り側と繰り出し側）をそれぞれ巻きつける２つの回転軸、あるいは該幕体をループ状に形成して張架する２つの回転軸と、該回転軸を回転させる適宜の駆動手段（モータ等）とで構成することを含む。
【００２７】
上記回転切替装置は、前記周景構成体に対し、縦方向（又は横方向）に複数並設された該周景構成体の全ての回転軸に接続したベルト部材と、該ベルト部材を連動して回転させる駆動手段（モータ等）とで構成することを含む。
【００２８】
前記変更は、周景の色模様（色や模様）の変更等、周景部の変更で構成することを含む。
【発明の効果】
この発明により、反射手段に適宜の対象物を映し出して撮像することができ、被写体の周景を多様に演出することが可能となる。
【００２９】
【発明の実施の形態】
この発明の一実施形態を以下図面と共に説明する。
まず、図１に示す写真シール作成機１の外観斜視図と共に、写真シール作成機１の構成について説明する。
【００３０】
写真シール作成機１は、撮像空間７の正面側（図示右側）に筐体９を備えている。
該筐体９には、正面の鉛直方向中央部に前下がりの傾斜面を形成して該傾斜面にモニタ１３を備える。該モニタ１３には、タッチパネル１４ａを重ねて設け、その左右に備えたタッチペン１４ｂ，１４ｂと共に入力装置１４を構成し、タッチペン１４ｂでタッチパネル１４ａをタッチさせて、利用者の入力を許容する。
【００３１】
前記傾斜面の上方の鉛直面には、中央にデジタルカメラ１２を備え、該デジタルカメラ１２の左右にストロボ発光する被写体照明装置１１，１１を配設する。
【００３２】
該被写体照明装置１１は、正面開放のボックス形状に形成して内面を白色に塗装した反射ボックスと、白色半透明の樹脂材で板状に形成して前記反射ボックスの正面を蓋する拡散板と、内部に備えたストロボ照明装置で構成する。該ストロボ照明装置は照明方向を筐体９の背面側（図示右側）に向けて設定しており、該ストロボ照明装置の照射光は、反射ボックスで反射し拡散板で拡散され、面光源として被写体を略均一に照明する。
【００３３】
なお、前記被写体照明装置１１の内部には、前記ストロボ照明装置に対して蛍光灯照明装置を併設しており、プレビュー時には蛍光灯照明装置でイメージ確認を許容し、撮像時（シャッタ時）にはストロボ照明装置で十分な光量が得られるように構成している。
【００３４】
前記傾斜面の下方の鉛直面には、硬貨の投入を許容するコイン投入口１５ａを備える。
筐体９の右側面下部には、写真シールシートを排出する写真シール排出口１８ａを備える。
【００３５】
撮像空間７の上部及び下部には、ロールカーテン４１（天井部ロールカーテン４１ａ，床部ロールカーテン４１ｂ）を備える。該ロールカーテン４１は、布部材の上下端を連結して輪状に形成した幕体４２（４２ａ、４２ｂ）を、回転軸４３（４３ａ、４３ｂ）及び支持軸４４（４４ａ，４４ｂ）に張架して構成する。
前記幕体４２は、図２の（Ａ）の平面図に示すように、３つの色模様パターンＡ，Ｂ，Ｃで構成する意匠面で表面を形成する。
【００３６】
使用状態では、該幕体４２の上端と下端を連結し、（Ｂ）の斜視図に示すように回転軸４３及び支持軸４４に張架しており、色模様パターンＢが回転軸４３によって中央で折り曲げられた状態となる。
【００３７】
これにより、図１に示したように、色模様パターンＢの部分はハーフミラー５３（５３ａ，５３ｂ）によって撮像空間７から見えなくなる。
【００３８】
上記ロールカーテン４１の後方側には、駆動装置３１（３１ａ，３１ｂ）を備える。該駆動装置３１は、内蔵している正逆転モータ（パルスモータ）のモータ軸にプーリ（ベルト車）３２（３２ａ，３２ｂ）を枢着しており、該プーリ３２と前記回転軸４３の一端に駆動ベルト３３（３３ａ，３３ｂ）を張架する。
【００３９】
これにより、駆動装置３１で得られる回転力を、駆動ベルト３３を介して回転軸４３に伝達し、該回転軸４３の回転によって幕体４２を回転させて、３つの色模様パターンから撮像に使用する色模様パターンを選択的に変更可能にしている。
【００４０】
なお、現在の色模様パターンを把握する、あるいは色模様パターンを確実に利用者の指定に従って変更するために、適宜の検出手段を備えると良い。
【００４１】
該検出手段は、例えば幕体４２の各色模様パテーンに対して備え付けるＲＦ−ＩＤタグ（無線ＩＤタグ）と、該ＲＦ−ＩＤタグからＩＤ等を受信して色模様パターンを検出する質問器（通信装置）とで構成することができる。また、駆動装置３１内にスリット穴を円周部に等間隔で配設したスリット円盤と赤外線センサとを備え、回転数を検出して回転移動の距離を把握するエンコーダで構成することもできる。
【００４２】
また、撮像空間７の下方（すなわち床側）に備えたロールカーテン４１ｂと撮像空間７との間には、板状で透明の強化ガラス（透明部材）４６を設ける。これにより、ロールカーテン４１ｂを回転可能にした上で、利用者がその上の強化ガラス４６の上に立って撮像できるように構成している。
【００４３】
撮像空間７の後方（図１の左側）には、前記デジタルカメラ１２に対向させて、中央部を外側へ突出させた側面視くの字型のハーフミラー５３（５３ａ，５３ｂ）を備える。なお、該ハーフミラーは、上半分は表面の反射面を下方へ向けて傾斜させた上部ハーフミラー５３ａとし、下半分は表面の反射面を上方へ向けて傾斜させた下部ハーフミラー５３ｂとする。
該ハーフミラー５３の後方には、表面に意匠面を備えた背景板５２を備える。
【００４４】
前記背景板５２と前記ハーフミラー５３で形成する後背空間８の上下には、背景板５２を照明する後背空間照明装置５１（５１ａ，５１ｂ）を備える。
【００４５】
なお、該後背空間照明装置５１には、蛍光灯、白熱灯又はスポットライト等、連続して発光する連続照明装置を使用することができ、場合によってはストロボ照明装置等の瞬間照明装置を使用しても良い。
【００４６】
また、ハーフミラー５３は明るいほうから暗いほうを見るときに鏡として機能し、暗い方から明るい方を見るときに透過性ガラス（透明ガラス又は半透明ガラス）として機能する。
従って、後背空間照明装置５１を点灯して撮像空間７より後背空間８が明るい状態とすると、ハーフミラー５３は透過性ガラスとして機能し、透過した背景板５２をデジタルカメラ１２で撮像することができる。
【００４７】
また、後背空間照明装置５１を消灯して撮像空間７より後背空間８が暗い状態とすると、ハーフミラー５３は鏡として機能し、反射した幕体４２の色模様パターンをデジタルカメラ１２で撮像することができる。
【００４８】
以上の構成により、図３の側面断面図に示すように、ハーフミラー５３（５３ａ，５３ｂ）に映りこむ反射像は、仮想線に示すようにロールカーテン４１で構成され、デジタルカメラ１２で撮像する際の周景をロールカーテン４１で構成することができる。
【００４９】
すなわち、反射対象であるロールカーテン４１からハーフミラー５３を介してデジタルカメラ１２に撮像される像の光は、ハーフミラー５３によって入射光Ｘと反射光Ｙの角度Ｚが鋭角で反射され、天井又は床に備えたロールカーテン４１をハーフミラー５３に写し出して撮像することができる。
【００５０】
また、例えば２人グループの利用者で、一方の利用者Ｍ１はデジタルカメラ１２の方を向いて普通にポーズをとり、該利用者Ｍ１と背中合わせに他方の利用者Ｍ２がポーズをとってもよい。この場合は、利用者Ｍ１の普通の正面像と、利用者Ｍ２をハーフミラー５３で反射した反射像（正面像）をデジタルカメラ１２で撮像することもできる。
【００５１】
次に、図４に示す写真シール作成機１の制御回路を示す回路ブロック図と共に、写真シール作成機１の回路構成について説明する。
制御装置１０は、ＣＰＵ，ＲＯＭ，及びＲＡＭを内蔵して各装置の制御を実行し、該制御装置１０に接続して以下の各装置を備える。なお、制御装置１０は、記憶装置２０に格納したプログラムに従って各処理を実行し、利用者の選択に従って演出する周景を変更する処理も実行する。
【００５２】
被写体照明装置１１は、制御装置１０からの照明制御信号に従って、ストロボ照明装置（瞬間照明装置）のストロボ発光、及び蛍光灯照明装置の連続発光を実行し、撮像処理及び編集処理で利用者を照明する。また上記照明制御信号は、前記デジタルカメラ１２が出力したトリガ信号と同期をとった瞬間発光信号も含んでおり、該瞬間発光信号に従ってストロボ照明装置がストロボ発光している間に前記デジタルカメラ１２のシャッタが開閉するように構成している。なお、前記蛍光灯照明装置は、白熱灯照明装置やスポットライト等、連続して照明できる連続照明装置で構成することができる。
【００５３】
デジタルカメラ１２は、制御装置１０から撮像開始信号を受けて撮像を実行し、該撮像時にシャッタのトリガ信号を出力する。該撮像による撮像画像は静止画データで、また撮像前のプレビュー画像は動画データで、それぞれ画像データとして制御装置１０に送信する。また制御装置１０から設定信号を受信し、設定値の変更等も実行する。
【００５４】
モニタ１３は、液晶ディスプレイで構成しており、制御装置１０からのＲＧＢ信号に従って、撮像前のプレビュー表示（動画表示）、撮像画像の確認表示（静止画表示）、画像編集時に使用するペンツールやスタンプルール等の通常アイテム，蛍光ペンや蛍光スタンプ等の蛍光アイテム等、必要な画像を表示する。
【００５５】
入力装置１４は、前述のタッチパネル１４ａ（図１）とタッチペン１４ｂで構成し、利用者にタッチペン１４ｂでタッチされた座標を入力信号として制御装置１０に送信する。
【００５６】
貨幣処理装置１５は、前述のコイン投入口１５ａ（図１）の内部に位置して設けており、該コイン投入口１５ａから投入された硬貨等のコインの真偽判別及び金種判別を実行する。該真偽判別及び金種判別が正であれば、プレイを開始する起動信号を制御装置１０に送信する。
【００５７】
ＩＤタグリーダ／ライタ１７は、次に説明するプリンタ１８に近接して設けており、制御装置１０の更新信号に従ってシール紙ユニット（後述）に備えたＩＤタグ６４に印刷残回数などの設定データを記憶させる。
【００５８】
また、読出信号として前記ＩＤタグ６４に記憶のＩＤナンバーや印刷残回数などの設定データを制御装置１０に送信し、シール紙ユニットの適否判断を可能にする。これにより、この実施形態の写真シール作成機１に適さないシール紙６５が使用されることを防止可能にしている。
【００５９】
上記シール紙ユニットは、ロール状のシール紙６５（印刷用紙）とその側面に一体に備えたＩＤタグ６４で構成する。該ＩＤタグ６４は、制御装置と記憶装置とを内蔵したＩＣチップ、及びアンテナで構成し、シール紙ユニットのＩＤナンバーや印刷残回数等の情報を、前記ＩＤタグリーダ／ライタ１７との無線通信によって読書き可能に構成している。
【００６０】
プリンタ１８は、制御装置１０からプリント画像データ（印刷用画像）を受信し、該プリント画像をシール紙６５に印刷して作成した写真シールシートを、写真シール排出口１８ａ（図１）から排出する。
記憶装置２０は、照明光度やプレイ料金等の各種設定データ、及び必要なプログラムを記憶する。
【００６１】
駆動装置３１は、制御装置から受信する制御信号に従って、内蔵する正逆転モータを正回転又は逆回転する。
後背空間照明装置５１は、制御装置から受信する照明制御信号に従って、点灯又は消灯を行う。
【００６２】
以上の回路構成により、被写体照明装置１１の照明を得て被写体である利用者をデジタルカメラ１２で撮像し、該撮像画像をモニタ１３に表示しつつ入力装置１４で編集許容し、プリンタ１８で印刷した写真シールシートを提供することができる。
【００６３】
前記撮像では、後背空間照明装置５１を消灯し、ロールカーテン４１を移動させて幕体４２の色模様パターンから好みのものを選択する、あるいは、後背空間照明装置５１を点灯し、ハーフミラー５３を透過し背景板５２を背景として選択することが可能となる。
【００６４】
次に、図５に示す写真シール作成機１の制御装置１０の動作を示す処理フロー図と共に、全体の動作について説明する。
利用者によってコイン投入口１５ａからコインが投入されると（ステップｎ１）、制御装置１０は接客処理を開始する。
【００６５】
制御装置１０は、図６の画面イメージ図に示すカーテン選択画面（周景選択画面）１３ａをモニタ１３に表示し、ロールカーテン４１の変更ができる旨の案内を行う（ステップｎ２）。
【００６６】
該カーテン選択画面１３ａでは、利用者に天井選択ボタン１３ｂ，１３ｂ（床選択ボタン１３ｃ，１３ｃ）がタッチペン１４ｂ（図１）でタッチされると、天井カーソル１３ｄ（床カーソル１３ｅ）が１つずつ移動して、天井部ロールカーテン４１ａ（床部ロールカーテン４１ｂ）の色模様パターンを選択することができる。ＯＫボタン１３ｆ（１３ｈ）がタッチされると、天井部ロールカーテン４１ａ（床部ロールカーテン４１ｂ）の色模様パターンが確定し、クリアボタン１３ｇ（１３ｊ）がタッチされると、初期状態の色模様パターンを選択している状態に戻る。
利用者によって、ＯＫボタン１３ｆ及び１３ｈがタッチされた状態となり、ロールカーテン４１の色模様パターンが設定されると（ステップｎ３）、制御装置１０は駆動装置３１を駆動し、選択された色模様パターンを反射像として撮像可能に幕体４２を回転移動し調整する（ステップｎ４）。
【００６７】
該幕体４２の回転移動が終了するか、前記ステップｎ３でロールカーテン４１が設定されず３０秒経過した場合には（ステップｎ５）、バックライト設定処理を実行する（ステップｎ６）。
【００６８】
該バックライト設定処理では、モニタ１３に後背空間照明装置５１の点灯又は消灯を選択させる画面を表示し、利用者に上下別々に切替えて設定させる。このとき、モニタ１３には背景イメージ（周景イメージ）としてデジタルカメラ１２に映っている映像を動画表示する。これにより、利用者が点灯又は消灯を切替える毎に、各後背空間照明装置５１ａ，５１ｂの点灯又は消灯を実行し、利用者は背景イメージを確認して選択することができる。
【００６９】
背景イメージの表示は、後背空間照明装置５１（５１ａ，５１ｂ）を点灯した状態では、上部ハーフミラー５３ａに床部ロールカーテン４１ｂが反射像として映り込み、下部ハーフミラー５３ｂに天井部ロールカーテン４１ａが反射像として映り込む。
【００７０】
例えば、図７に示す説明図に示すように、利用者が天井部ロールカーテン４１ａ（天井カーテン）に色模様パターンＡを選択し、床部ロールカーテン４１ｂ（床カーテン）に色模様パターンＢを選択していた場合には、後背空間照明装置５１ａ，５１ｂ共に消灯すれば、（Ｃ）に示す背景イメージとなる。またこの場合に、後背空間照明装置５１ａ，５１ｂ共に点灯すれば、背景板５２がデジタルカメラ１２で映されて（Ｄ）に示す背景イメージとなる。
【００７１】
その他、利用者によるロールカーテン４１の色模様パターンの設定と後背空間照明装置５１の点灯又は消灯設定により、（Ｅ），（Ｆ）に示すように様々な背景イメージを得ることができる。
【００７２】
なお、上述したロールカーテン４１の色模様パターンの設定と後背空間照明装置５１の点灯又は消灯設定は、一つにまとめて背景選択として利用者に選択させても良い。
【００７３】
この場合、図６の「カーテン上」（カーテン下）の表示を「背景上」（背景下）と変更し、天井カーソル１３ｄ（床カーソル１３ｅ）を移動させて選択できる色模様パターンを、ロールカーテン４１の３種類に後背空間照明装置５１の点灯状態を加えた４種類で構成すると良い。このように構成した場合は、利用者はより単純なインターフェースで背景を選択することが可能となる。
【００７４】
このようにして背景イメージが決定されると、制御装置１０は撮像処理を実行する（ステップｎ７）。該撮像処理では、プレビュー表示（動画表示）によって利用者のポーズ決定を許容し、カウントダウンと共に被写体照明装置１１のストロボ照明光を得たデジタルカメラ１２での撮像を実行する。
【００７５】
所定枚数の撮像が終了するかタイムアウトとなると、制御装置１０は編集処理を実行する（ステップｎ８）。
該編集処理では、ラメペンや縁取りペン等のペンツール、のびのびスタンプやマジックスタンプ等のスタンプツール、及びクロマキー合成を利用した塗りつぶし処理を駆使して、利用者が自由に画像を編集することができる。
【００７６】
なお、前記ラメペンとは、きらきらと光る線がフリーハンドで描けるツールを指し、前記縁取りペンとは、中心色に対して他の色で縁取りした線がフリーハンドで描けるツールを指す。
【００７７】
また、前記のびのびスタンプとは、予め用意されたスタンプ画像で利用者がモニタ１３の画面上でタッチしてから離すまでの軌跡に沿って伸びる形状のツールを指し、前記マジックスタンプとは、編集している撮像画像の被写体や、前記撮像処理で撮像した別の撮像画像の被写体をスタンプのように貼り付けできるツールを指す。
【００７８】
また、クロマキー処理とは、特定色とその近似色の部分に対して、風景画像や幾何学模様等、予め用意した画像や色に塗りつぶす処理を指す。
【００７９】
このようにして編集処理が終了すると、制御装置１０は編集処理で完成した編集画像を適宜の大きさと数で配置した印刷用画像を生成し、該印刷用画像をプリンタ１８で印刷して、完成した写真シールシートを写真シール排出口１８ａから排出する（ステップｎ９）
以上の動作により、利用者は様々な背景イメージの撮像画像を取得することができ、図８の写真シールシート６１の平面図に示すように、該撮像画像に編集処理を加えたバラエティ豊かな写真シール６２（６２ａ，６２ｂ）が複数枚配置された写真シールシート６１を取得することができる。
【００８０】
すなわち、アップ撮像の写真シール６２ａは、後背空間照明装置５１を消灯した場合に、図示するように上部ハーフミラー５３ａの反射像である床部ロールカーテン４１ｂの色模様パターンが写る。また、後背空間照明装置５１を点灯した場合には、背景板５２の上方側の色模様が、上記反射像６３ａの部位に透過像として写る（図示省略）。
【００８１】
全身撮像の写真シール６２ｂは、後背空間照明装置５１を消灯した場合に、図示するように上部ハーフミラー５３ａ及び下部ハーフミラー５３ｂの反射像である床部ロールカーテン４１ｂ及び天井部ロールカーテン４１ａの色模様パターンが反射像６３ｂ，６３ｃとして写る。また、後背空間照明装置５１を点灯した場合には、背景板５２の色模様が、上記反射像６３ｂ，６３ｃの部位に透過像として写る（図示省略）。
【００８２】
なお、前記背景板５２の表面の意匠面（色模様）は、後背空間８の天井面及び床面にまで延長し、意匠面が側面視コの字型となるように構成しても良い。この場合は、デジタルカメラ１２での撮像範囲が上下方向に広がったとしても、背景として設定していない背景板５２の上下部が映ってしまうといったことを防止できる。
【００８３】
また、ハーフミラー５３及びロールカーテン４１の構成は、図９の説明図に示すように、様々な構成とする事ができる。
【００８４】
（Ｇ）は、背景板５２の代わりにロールカーテン４１ｃ，４１ｄを設けたタイプであり、これにより後背空間照明装置５１を点灯した場合でも背景イメージを変更できるように構成している。
【００８５】
（Ｈ）は、上部ハーフミラー５３ａ及び下部ハーフミラー５３ｂを側面視すると鏡面の中央が凹となるように湾曲させたタイプであり、これにより反射像として写るロールカーテン４１の面積が小さくなり、ロールカーテン４１を小型化する、あるいは選択可能な色模様パターンを増加させることを可能としている。
【００８６】
（Ｊ）は、側面視中央部が撮像空間７の内側へ凸となるように上部ハーフミラー５３ａ及び下部ハーフミラー５３ｂを設けたタイプであり、上部ハーフミラー５３ａは天井部ロールカーテン４１ａを、下部ハーフミラー５３ｂは床部ロールカーテン４１ｂをそれぞれ反射像として写す構成としている。
【００８７】
（Ｋ）は、ハーフミラー５３を一枚の平面で鏡面が下向きとなるように傾斜させたタイプであり、床部ロールカーテン４１ｂを反射像として写す構成としている。これにより、途切れない背景イメージを提供可能としている。
【００８８】
（Ｌ）は、４枚の横長のハーフミラー５３を縦に配設し、上から順に鏡面上向き傾斜のハーフミラー５３ａ、鏡面下向き傾斜のハーフミラー５３ｂ、鏡面上向き傾斜のハーフミラー５３ｃ、鏡面下向き傾斜のハーフミラー５３ｄとして形成したタイプである。これにより、天井部ロールカーテン４１ａと床部ロールカーテン４１ｂの色模様パターンが、反射像として上下方向に交互に写り、面白みのある背景イメージを提供可能としている。
【００８９】
（Ｍ）は、ハーフミラー５３を、大きさが同一のピラミッド形の反射面を複数縦横に整列配置した多面体で構成したタイプであり、この場合はロールカーテン４１を天井部と床部に加えて撮像空間７の両側部にも備える。これにより、４つのロールカーテン４１をそれぞれ自由に設定し、万華鏡のようにパターン化された色模様を背景イメージとして提供することができる。
【００９０】
また、以上の各実施形態においては、基本構成としてロールカーテン４１を天井部又は及び床部に備え、上下に変化のある背景イメージを提供したが、ロールカーテン４１を撮像空間７の両側部（若しくは一方の側部）に備えても良い。これにより、左右に変化のある背景イメージを提供することができる。
【００９１】
また、幕体４２の色模様パターンは、連続した１の風景等の連続模様で構成しても良い。例えば、空と水平線と海と海岸で縦方向に長い風景を幕体４２の色模様とすれば、利用者は空のみ、空と海、海と海岸等の背景を選択することができ、水平線の高さを自由に決定するといったこともできる。このように、利用者は選択的にではなく連続的に背景を移動させて決定することができ、利用者による背景の選択余地が増加する。
【００９２】
また、後背空間８には、動物のぬいぐるみ、又は、人物や怪物のマスク等、立体物を備えておいても良く、背景板５２を立体的に形成しても良い。これにより、立体感のある背景を演出することができる。
【００９３】
また、当該立体物は、ハーフミラー５３の後背にあるため、利用者の不注意等による破損を防止することができ、繊細な立体物や高価な立体物でも安心して設置することもできる。
【００９４】
また、複数のシナリオモードを設定して利用者に該シナリオモードを選択させ、選択されたシナリオモードに対応してロールカーテン４１の移動、後背空間照明装置５１の照明調整（点灯又は消灯、若しくは光度又は／及び色調調整）、被写体照明装置１１の照明調整（光度調整又は／及び色相調整）、デジタルカメラ１２のカメラ調整（ズーム調整、縦横の向き調整、撮像角度調整、又はカメラ位置調整、若しくはこれらの複数の調整）を実行するように構成しても良い。
【００９５】
これにより、利用者はシナリオモードを選択するだけで豊富な周景を効果的に生かした撮像を実行することができる。
【００９６】
また上記シナリオモードには、例えばホラーモードを用意しておき、後背空間８に前記立体物として怪物のマスクを備えても良い。該ホラーモードとして、例えば撮像前のモニタ１３のプレビュー表示では、後背空間照明装置５１を消灯させてナレーションやＢＧＭなどを普通にあるいはホラー調に撮像処理を進め、撮像の瞬間だけ後背空間照明装置５１を点灯する設定とすることができる。
【００９７】
これにより、利用者が撮像画像を確認すると、撮像前のプレビュー時にはなかったはずの怪物のマスクが被写体の背後に現れており、意図しない意外な撮像画像が得られてアミューズメント性が向上する。
【００９８】
また、前記モニタ１３は、ＣＲＴディスプレイ、液晶ディスプレイ、鏡、又は、画像を投射するプロジェクタや映写機等の投射手段と上記画像を写像（像を写し出す）するスクリーンやカーテンや筐体等の写像手段とを有する投射写像手段等の表示装置で構成しても良い。また前記プロジェクタは、透過型プロジェクタ又は反射型プロジェクタで構成すると良い。
【００９９】
前記ＩＤタグ６４は、情報を記録したバーコード又はＩＣカード、又は、特定形状に形成したシール紙ユニットのユニット形状等の識別体で構成しても良い。
【０１００】
この場合、前記ＩＤタグリーダ／ライタ１７は、バーコードを読取るバーコードスキャナ、ＩＣカードに記憶のデータを読取るＩＣカードリーダ、特定形状に形成したシール紙ユニットのユニット形状と嵌合する嵌合部等、識別体に対応した識別手段で構成すると良い。
また前記シール紙ユニットは、識別体とシール紙６５とを別体にして構成しても良い。
【０１０１】
また、例えばＵＳＢケーブルやＩＥＥＥケーブル等のデータ取込インターフェースを筐体２の正面側（又は背面側）に備え、個人用のデジタルカメラやノートパソコン、携帯電話やＰＤＡ等から前記編集処理で使用する画像を取り込み可能に構成しても良い。これにより、例えば過去に撮像したお気に入りの写真画像を使用する、ペットの写真画像を使用する、あるいは、風景写真や花柄イラストを利用する等、利用者が自由な素材画像を利用して編集処理を行うことを可能にでき、利用者の満足度を向上させることができる。
【０１０２】
この発明の構成と、上述の実施形態との対応において、
この発明の写真シール作成装置は、実施形態の写真シール作成機１に対応し、
以下同様に、
撮像手段は、デジタルカメラ１２に対応し、
編集手段は、入力装置１４に対応し、
出力手段は、プリンタ１８に対応し、
変更手段は、駆動装置３１に対応し、
周景手段は、駆動装置３１及びロールカーテン４１に対応し、
多様周景体は、ロールカーテン４１に対応し、
反射手段は、ハーフミラー５３に対応し、
周景部は、色模様パターンに対応し、
周部は、天井部及び床部に対応し、
所定の画像は、撮像画像に対応し、
他の取得手段は、データ取込インターフェースに対応するも、
この発明は、上述の実施形態の構成のみに限定されるものではなく、多くの実施の形態を得ることができる。
【図面の簡単な説明】
【図１】写真シール作成機の外観を示す斜視図。
【図２】ロールカーテンの説明図。
【図３】写真シール作成機の側面断面図。
【図４】写真シール作成機の制御回路を示すブロック図。
【図５】写真シール作成機の制御装置の動作を示す処理フロー図。
【図６】カーテン選択画面の画面イメージ図。
【図７】背景イメージの説明図。
【図８】写真シールシートの平面図。
【図９】ハーフミラー及びロールカーテンの他の構成を示す説明図。
【符号の説明】
１…写真シール作成機
７…撮像空間
１２…デジタルカメラ
１４…入力装置
１８…プリンタ
３１…駆動装置
４１…ロールカーテン
５３…ハーフミラー
６３ａ，６３ｂ，６３ｃ…反射像
【図１】
2004246113.tif 000003
【図２】
2004246113.tif 000004
【図３】
2004246113.tif 000005
【図４】
2004246113.tif 000006
【図５】
2004246113.tif 000007
【図６】
2004246113.tif 000008
【図７】
2004246113.tif 000009
【図８】
2004246113.tif 000010
【図９】
2004246113.tif 000011